(57)【要約】【課題】折り畳み式マッサージ装置を提供する。【解決手段】折り畳みフレーム上に二つのパッドを設置し、パッド上に按摩装置を設置し、フレームは連接座の両側にそれぞれ、第一折収フレームと第二折収フレームを結合する。フレーム両側に、それぞれ、第一脚座と第二脚座を有し、第一折収フレームと第二折収フレームは、ばねと引き棒を設置する。パッドは、第一折収フレームと第二折収フレーム上に結合される。内部には駆動モーターを設置し、連動構造を帯動し、連動構造は駆動座をパッドで前後に移動させ横たわった状態でマッサージを受けることが出来、且つ、垂直に立起収合でき、収納空間を大幅に減少させることができる。【選択図】図２
0003123510.tif 000002
【実用新案登録請求の範囲】
【請求項１】
折り畳み式マッサージ装置であって、折り畳みフレーム上に二つのパッドを設置し、前記パッド上に按摩装置をそれぞれ設置し、
前記折り畳みフレームは、第一折収フレーム、第一脚座、第二折収フレーム、第二脚座、連接座、二つのばね、および、二つの引き棒、からなり、
前記二つのパッドは、それぞれ、前記フレームの第一折収フレームと第二折収フレーム上に結合され、
前記按摩装置は、結合フレーム、駆動モーター、連動構造、駆動座、及び、按摩ローラーユニットからなり、
前記折り畳みフレームは、
前記第一折収フレームの外側端は、前記第一脚座と枢設され、内側面中段面上には結合孔が設置され、前記第一折収フレームの内側端は、連接座と枢設され、
前記第一脚座は、前記第一折収フレームと枢設され、両方は脚架を利用して、前記第一折収フレームと枢設され、且つ、枢設する内下方位置は、更に、定位棒を連設し、また、脚架の各端辺下方は輪体を設置し、
前記第二折収フレームの外側端は、前記第二脚座と結合固定され、内側面中段面上に結合孔を有し、前記第二折収フレームの内側端は、前記連接座と枢設され、
前記第二脚座は、前記第二折収フレームと結合固定し、その下方の両端と外側面は輪体を設置し、
連接座の両端上にそれぞれ、枢結部を設け、前記第一折収フレームと前記第二折収フレームを枢設し、且つ、枢設後、前記第一折収フレームと前記第二折収フレームは半分に折り畳んだり、水平に開くことができ、前記連接座中央に、下向けに延伸する支承棒を設置し、且つ、前記支承棒中段位置上にフックを有し、
ばねは引き棒に組み合わされ、前記連接座と両方の第一折収フレーム、第二折収フレーム間に位置し、
前記引き棒の一端は前記ばねに掛設され、もう一端は前記第一折収フレーム、前記第二折収フレームの結合孔上に設置され、
前記按摩装置は、
前記結合フレームがパッド内部に埋設され、ほぼ、中央に位置し、内部に結合槽を有し、
前記駆動モーターが設置され、前記結合フレーム中に結合され、動力を生成して前記連動構造を駆動し、
前記連動構造は前記結合フレーム内に結合され、前記駆動モーターの駆動を受け、連続重複運動を生成し、
前記駆動座は前記連動構造上に設置され、往復運動を生成し、
前記按摩ローラーユニットが前記駆動座上に結合され、前記駆動座の移動に伴い、按摩効果を生成し、
上述の構造により、前記折り畳みフレームは開くことができ、横たわってマッサージを受けることが出来、また、前記連接座から半分に折って、立起収合でき、展開使用は、前記第一、第二折収フレームをそれぞれ両側に引っ張り、前記第一、第二脚座、及び、連接座をそれぞれ地面上で定位され、二つのばねが引かれて、前記パッドが平面を形成して、使用者が横たわることができ、前記按摩装置の駆動モーターは、連動構造を駆動して前記駆動座を帯動し、前記駆動座は前後に移動して、マッサージを実行し、収合は、前記折り畳みフレームを上に引き、前記第一、第二折収フレームが同時にばねにより中央に引かれ、前記第二折収フレームは、前記第二脚座の輪体により滑行立起し、前記第一折収フレームと前記第二折収フレームが平行に対合することを特徴とする折り畳み式マッサージ装置。
【請求項２】
前記連動構造はスクリュー方式で、スクリュー上の導引紋により、前記駆動座を帯動し、往復移動を生成することを特徴とする請求項１に記載の折り畳み式マッサージ装置。
【請求項３】
前記連動構造はチェーン方式で、チェーンにより、前記駆動座を帯動し、往復移動を生成することを特徴とする請求項１に記載の折り畳み式マッサージ装置。
【請求項４】
前記連動構造はベルト方式で、ベルトにより、前記駆動座を帯動し、往復移動を生成することを特徴とする請求項１に記載の折り畳み式マッサージ装置。
【請求項５】
前記連動構造はラック方式で、ラックにより、前記駆動座を帯動し、往復移動を生成することを特徴とする請求項１に記載の折り畳み式マッサージ装置。
【請求項６】
前記按摩ローラーユニットは按摩ローラーを有し、マッサージ効果を生成することを特徴とする請求項１に記載の折り畳み式マッサージ装置。
【請求項７】
ことを特徴とする請求項１に記載の折り畳み式マッサージ装置。
【考案の詳細な説明】
【技術分野】
【０００１】
本考案は、折り畳み式マッサージ装置に関するものであって、特に、収折、及び、使用時の展開に便利な折り畳み式マッサージ装置に関するものである。
【背景技術】
【０００２】
一般によく見られるマッサージ装置は、主に、按摩椅子で、座式で使用者にマッサージを施すものである。しかし、座式方式のマッサージよりも、横たわった状態でマッサージを受けるのを好む人も多い。ただ、横たわる方式のマッサージ装置は占有する空間が大きいので、収容に困る。よって、占有空間が小さい横たわり式のマッサージ装置が必要とされる。
【考案の開示】
【考案が解決しようとする課題】
【０００３】
本考案は、折り畳み式マッサージ装置を提供し、収折と展開が可能な折り畳みフレームを使用し、使用時に展開させて、使用者が横たわった状態でマッサージを受けることが出来、不使用時には、収合して、収納に場所をとらないマッサージ装置を提供することを目的とする。
【課題を解決するための手段】
【０００４】
本考案の按摩装置は、折り畳みフレームの第一折収フレームと第二折収フレーム上方にそれぞれ、パッドを設置し、パッド中に按摩装置を設置し、フレームの収折と展開が可能な設計により、横たわった状態でマッサージを受けることが出来、使用上、快適で、不使用時に、フレーム、パッド、按摩装置が対合して、垂直に立起し、収納空間を大幅に減少する。
【考案の効果】
【０００５】
本考案のフレームの収折と展開が可能な設計により、横たわった状態でマッサージを受けることが出来、使用上、快適で、また、不使用時に、フレーム、パッド、按摩装置が対合して、垂直に立起し、収納空間を大幅に減少する。
【考案を実施するための最良の形態】
【０００６】
図１、及び、図２で示されるように、折り畳みフレーム１０上に、二つのパッド２０、２００を設置し、パッド２０、２００上にはそれぞれ、按摩装置３０、３００が設置されている。
【０００７】
折り畳みフレーム１０は、第一折収フレーム１１、第一脚座１２、第二折収フレーム１３、第二脚座１４、連接座１５、二つのばね１６、および、二つの引き棒１７、からなる。
【０００８】
折り畳みフレーム１０の第一折収フレーム１１の外側端は、第一脚座１２と枢設され、内側面中段面上には結合孔１１１が設置されている。第一折収フレーム１１の内側端は、連接座１５と枢設され、第一脚座１２は、第一折収フレーム１１と枢設され、両方は脚架１２１を利用して、第一折収フレーム１１と枢設され、且つ、枢設する内下方位置は、更に、定位棒１２２を連設し、また、脚架１２１の各端辺下方は輪体１２３を設置する。第二折収フレーム１３１の外側端は、第二脚座１４と結合固定され、内側面中段面上に結合孔１３を有し、第二折収フレーム１３の内側端は、連接座１５と枢設され、第二脚座１４は、第二折収フレーム１３と結合固定し、その下方の両端と外側面は輪体１４１を設置する。連接座１５の両端上にそれぞれ、枢結部１５１を設け、第一折収フレーム１１と第二折収フレーム１３を枢設し、且つ、枢設後、第一折収フレーム１１と第二折収フレーム１３は半分に折り畳んだり、水平に開くことができる。連接座１５中央に、下向けに延伸する支承棒１５２を設置し、支承棒１５中段位置上にフック１５３を有し、ばね１６は引き棒１７に組み合わされ、連接座１５と両方の第一折収フレーム、第二折収フレーム１３間に位置し、引き棒１７の一端はばね１６に掛設され、もう一端は第一折収フレーム１１、第二折収フレーム１３の結合孔１１１、１３１上に設置される。ばね１６と引き棒１７は連結装置で、引き棒１７一端は結合孔１１１、１３１中に設置される。ばね１６のもう一端は、連接座１５のフック１５３上に位置し、第一折収フレーム１１と第二折収フレーム１３は、連接座１５間に引く力を生成する。
【０００９】
二つのパッド２０、２００は、それぞれ、折り畳みフレーム１０の第一折収フレーム１１と第二折収フレーム１３上に結合される。
【００１０】
按摩装置３０、３００の結合フレーム３１は、パッド２０、２００の内部に埋設され、ほぼ、中央に位置し、内部に結合槽３１１を有する。駆動モーター３２が設置され、結合フレーム３１中に結合され、動力を生成して連動構造３３を駆動し、連動構造３３は結合フレーム３１内に結合され、駆動モーター３２の駆動を受ける。連動構造３３はスクリュー、チェーン、ベルト、ラック等である。連動構造３３であるスクリュー上に、連続、且つ、重複移動する導引紋３３１を有し、駆動座３４は連動構造３３上に設置され、連動構造３３、及び、導引紋３３１に沿って、往復運動を生成する。按摩ローラーユニット３５が駆動座３４上に結合され、按摩ローラーユニット３５上には按摩ローラー３５１が設置されている。
【００１１】
折り畳みフレーム１０は開くことが出来、横たわっての使用が可能で、また、連接座１５により半分に折り畳んで収合できる。マッサージしたい時、第一折収フレーム１１と第二折収フレーム１３を両側に引いて開き、第一脚座１２、第二脚座１４、及び、連接座１５はそれぞれ地面上で定位し、この時、連接用の二つのばね１６が引っ張られ、二つのパッド２０、２００は自然に平面を形成し、使用者が上方で横たわり、使用者の上下半身がそれぞれ、按摩装置３０、３００上に位置し、駆動モーター３２が駆動して、連結構造３３が転動し、駆動座３４を帯動し、連動構造３３の導引紋３３１上で前後に移動し、駆動座３４両側の按摩ローラーユニット３５が、それぞれ、上半身、下半身に対し、マッサージを実行する。
【００１２】
マッサージ終了後、按摩装置を収合したい時、折り畳みフレーム１０暖簾説座１５を上に引き、第一折収フレーム１１と第二折収フレーム１３が同時にばね１６を利用して中央に向かって引かれ、第一折収フレーム１１は第一脚座１２に沿って枢転立起し、第二折収フレーム１３は第二脚座１４両端の輪体１４１により滑行立起し、ある角度に達すると、外側の輪体１４１が滑動し、第一折収フレーム１１と第二折収フレーム１３が平行に対合し、第一折収フレーム１１は、定位棒１２２を利用し、第二折収フレーム１３を固定する。
【００１３】
また、縮小した状態でも開いた使用状態でも、輪体１２３、１４１を利用し、直接移動ができる。
【００１４】
上述のような構造により、以下のような効果がある。収折や展開が可能な折り畳みフレーム１０を使用し、折り畳みフレーム１０の第一折収フレーム１１と第二折収フレーム１３上方にそれぞれパッド２０、２００を設置し、パッド２０、２００中に按摩装置３０、３００を配置し、按摩装置３０、３００は駆動モーター３２を利用して、連動構造３３を駆動し、駆動座３４を帯動し、按摩ローラーユニット３５によりマッサージを実行する。折り畳みフレーム１０の収折、展開可能な設計により、横たわった状態でマッサージが受けられ、使用上、快適であるほか、不使用時は、フレーム１０を折り畳み、パッド２０、２００、按摩装置３０、３００に対し対合、垂直立起できるので、占有する空間を大幅に縮小でき、収容に便利である。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１６】
【図１】開いた状態の立体組み合わせ図である。
【図２】立体分解図である。
【図３】使用状態の側視図である。
【図４】マッサージ動作を示す側視図である。
【図５】マッサージ動作を示す上視図である。
【図６】収合状態の立体図である。
【図７】収合状態の平面図である。
【符号の説明】
【００１７】
１０        折り畳みフレーム
１１        第一折収フレーム
１１１      結合孔
１２        第一脚座
１２１       脚架
１２２       定位棒
１２３      輪体
１３        第二折収フレーム
１３１       結合孔
１４        第二脚座
１４１       輪体
１５        連接座
１５１       枢設部
１５２       支承棒
１５３       フック
１６        ばね
１７        引き棒
２０、２００   パッド
３０、３００   按摩装置
３１        結合フレーム
３１１      結合槽
３２        駆動モーター
３３        連動構造
３３１      導引紋
３４        駆動座
３５        按摩ローラーユニット
３５１      按摩ローラー
【図１】
0003123510.tif 000003
【図２】
0003123510.tif 000004
【図３】
0003123510.tif 000005
【図４】
0003123510.tif 000006
【図５】
0003123510.tif 000007
【図６】
0003123510.tif 000008
【図７】
0003123510.tif 000009